(57)【要約】【課題】食品を損傷させることなく迅速に収容および取出しすることができる使用性に優れた食品用容器を提供する。【解決手段】本体２および蓋体３の周縁部には、本体側フランジ１１から外側方、かつ水平方向に延設した、折曲部１４を有するフィン１２と、蓋体側フランジ１５に湾状部１７を備える係止部１６とからなる本体２と蓋体３を相互に取外し可能に係止させる一対のロック機構Ｌを２以上複数備えた食品用容器１の本体２に対する蓋体３の固定および固定解除方法であって、凸状部５上に凹状部５´および、本体側フランジ１１上に蓋体側フランジ１５をそれぞれ載置させ、蓋体３に有する湾状部１７に、上方に折曲させた本体２に有するフィン１２を着脱自在に嵌入するとともに、湾状部１７の両側方に設けた蓋体側フランジ１５上の掛止部１８に、フィン１２の両端部を着脱可能に掛止させる。【選択図】図６
2009298454.tif 000002
【特許請求の範囲】
【請求項１】
それぞれ合成樹脂を成形してなる、
食品を載置する本体と、
該本体の上面側に被せる、下面を開口した透明な蓋体と、を備え、
前記本体の上面の外周縁には、上方に突出した凸状部および外側方に突出した本体側フランジを設けるとともに、前記蓋体の下部の外周縁には、前記凸状部上に嵌合可能な凹状部および外側方に突出した蓋体側フランジを設け、
前記凸状部上に前記嵌合部および前記本体側フランジ上に前記蓋体側フランジをそれぞれ載置させる食品用容器において、
前記本体および前記蓋体の周縁部には、前記本体と前記蓋体を相互に取外し可能に係止させる一対のロック機構を、２以上複数備えることを特徴とする食品用容器。
【請求項２】
前記ロック機構は、前記本体側フランジから外側方、かつ水平方向に延設したフィンと、前記蓋体側フランジに設けた係止部と、からなることを特徴とする、請求項１に記載の食品用容器。
【請求項３】
前記係止部は、前記蓋体側フランジの前記フィンを上方に折曲する位置に、前記蓋体の内側に向けて形成した湾状部を備えるとともに、前記湾状部の両側方の前記蓋体側フランジ上に、前記フィンの両端部を掛止する掛止部を設けることを特徴とする、請求項１に記載の食品用容器。
【請求項４】
前記フィンは、前記折曲部にミシン目を備えることを特徴とする、請求項１に記載の食品用容器。
【請求項５】
前記フィンは、前記ミシン目を、前記凸状部の壁面から外方に向けて１ｍｍ〜４ｍｍの範囲内に設けることを特徴とする、請求項１および４に記載の食品用容器。
【請求項６】
前記フィンは、前記本体側フランジに近い折曲部の幅を、先端部の幅よりも狭くすることを特徴とする、請求項１に記載の食品用容器。
【請求項７】
前記掛止部の両側方には、前記蓋体側フランジ上面と、前記凹状部の壁面とを架橋した補強用のブリッジを設けることを特徴とする、請求項１に記載の食品用容器。
【請求項８】
前記本体は、該本体上面の食品載置面に、上方に突出したリブを複数設けることを特徴とする、請求項１に記載の食品用容器。
【請求項９】
前記蓋体は、該蓋体の天面に、中央部を挟んで左右対称に把持部を設けることを特徴とする、請求項１に記載の食品用容器。
【請求項１０】
前記食品はケーキである、請求項１に記載の食品用容器。
【請求項１１】
それぞれ合成樹脂を成形してなる、
食品を載置する本体と、
該本体の上面側に被せる、下面を開口した透明な蓋体と、を備え、
前記本体の上面の外周縁には、上方に突出した凸状部および外側方に突出した本体側フランジを設けるとともに、前記蓋体の下部の外周縁には、前記凸状部上に嵌合可能な凹状部および外側方に突出した蓋体側フランジを設け、
前記本体および前記蓋体の周縁部には、前記本体側フランジから外側方、かつ水平方向に延設した、折曲部を有するフィンと、前記蓋体側フランジに湾状部を備える係止部と、からなる前記本体と前記蓋体を相互に取外し可能に係止させる一対のロック機構を２以上複数備えた食品用容器の本体に対する蓋体の固定および固定解除方法であって、
前記凸状部上に前記凹状部および、前記本体側フランジ上に前記蓋体側フランジをそれぞれ載置させ、前記蓋体に有する前記湾状部に、上方に折曲させた前記本体に有する前記フィンを着脱自在に嵌入するとともに、前記湾状部の両側方に設けた前記蓋体側フランジ上の掛止部に、前記フィンの両端部を着脱可能に掛止させることを特徴とする食品用容器の本体に対する蓋体の固定および固定解除方法。
【発明の詳細な説明】
【技術分野】
【０００１】
本発明は、本体と蓋体とからなる食品用容器に関し、より詳細には、本体および蓋体の周縁部に、開閉自在な一対のロック機構を２以上複数備える、ケーキなどの食品を収容する容器に関する。
【背景技術】
【０００２】
従来、ケーキ（食品）を収容し、販売や搬送、保存などに用いる、プラスチックなどの合成樹脂をバキューム成形した本体および蓋体からなる容器には、例えば、本体には、上方向に突出する凸状部を、本体上面の外周縁に沿って一連に形成し、この凸状部の外周側面には、本体の外側方向に膨出する膨出部を所定間隔で複数設けるとともに、蓋体には、透明な蓋体の下部周縁部の内面に、この蓋体の下部周縁部が本体の凸状部に外嵌可能となるように膨出部を嵌合させるための凹部を複数設け、さらには、本体の凸状部の外周側面と蓋体の下部周縁部の内面とには、相互に係脱自在な凸状係合部と凹状係合部とが設けられ、蓋体の下部周縁部が本体の凸状部に外嵌されたときに蓋体と本体との抜止めを可能とする（例えば、特許文献１）ものがある。
【０００３】
【特許文献１】実願平７−９００８号公報
【発明の開示】
【発明が解決しようとする課題】
【０００４】
しかし、上記特許文献１のような容器では、例えば、ケーキを本体に載置し、蓋体および本体の外方から、上述したような蓋体および本体に有する相互に係脱自在な凹凸状係合部などのジョイントに無理な力を加えることによって、本体に蓋体を嵌合し、固定させているため、逆に蓋体を本体から取り外す（蓋を開ける）際には、上記同様にして蓋体および本体の外方からジョイントに無理な力を加え、両者の嵌合を外して引き離そうとするため、勢い余った力により生じる振動などで、本体上のケーキが踊ったり、飛び出してしまう、もしくは倒れるなどして、ケーキが損傷してしまうという問題があった。
従って、この発明の目的は、食品を損傷させることなく迅速に収容および取出しすることができる使用性に優れた食品用容器を提供することにある。
【課題を解決するための手段】
【０００５】
このため、請求項１に記載の発明は、それぞれ合成樹脂を成形してなる、食品を載置する本体と、該本体の上面側に被せる、下面を開口した透明な蓋体と、を備え、前記本体の上面の外周縁には、上方に突出した凸状部および外側方に突出した本体側フランジを設けるとともに、前記蓋体の下部の外周縁には、前記凸状部上に嵌合可能な凹状部および外側方に突出した蓋体側フランジを設け、前記凸状部上に前記嵌合部および前記本体側フランジ上に前記蓋体側フランジをそれぞれ載置させる食品用容器において、前記本体および前記蓋体の周縁部には、前記本体と前記蓋体を相互に取外し可能に係止させる一対のロック機構を、２以上複数備えることを特徴とする。
【０００６】
請求項２に記載の発明は、請求項１に記載の食品用容器において、前記ロック機構は、前記本体側フランジから外側方、かつ水平方向に延設したフィンと、前記蓋体側フランジに設けた係止部と、からなることを特徴とする。
【０００７】
請求項３に記載の発明は、請求項１に記載の食品用容器において、前記係止部は、前記蓋体側フランジの前記フィンを上方に折曲する位置に、前記蓋体の内側に向けて形成した湾状部を備えるとともに、前記湾状部の両側方の前記蓋体側フランジ上に、前記フィンの両端部を掛止する掛止部を設けることを特徴とする。
【０００８】
請求項４に記載の発明は、請求項１に記載の食品用容器において、前記フィンは、前記折曲部にミシン目を備えることを特徴とする。
【０００９】
請求項５に記載の発明は、請求項１および４に記載の食品用容器において、前記フィンは、前記ミシン目を、前記凸状部の壁面から外方に向けて１ｍｍ〜４ｍｍの範囲内に設けることを特徴とする。
【００１０】
請求項６に記載の発明は、請求項１に記載の食品用容器において、前記フィンは、前記本体側フランジに近い折曲部の幅を、先端部の幅よりも狭くすることを特徴とする。
【００１１】
請求項７に記載の発明は、請求項１に記載の食品用容器において、前記掛止部の両側方には、前記蓋体側フランジ上面と、前記凹状部の壁面とを架橋した補強用のブリッジを設けることを特徴とする。
【００１２】
請求項８に記載の発明は、請求項１に記載の食品用容器において、前記本体は、該本体上面の食品載置面に、上方に突出したリブを複数設けることを特徴とする。
【００１３】
請求項９に記載の発明は、請求項１に記載の食品用容器において、前記蓋体は、該蓋体の天面に、中央部を挟んで左右対称に把持部を設けることを特徴とする。
【００１４】
請求項１０に記載の発明は、請求項１に記載の食品用容器において、前記食品はケーキである。
【００１５】
請求項１１に記載の発明は、それぞれ合成樹脂を成形してなる、食品を載置する本体と、該本体の上面側に被せる、下面を開口した透明な蓋体と、を備え、前記本体の上面の外周縁には、上方に突出した凸状部および外側方に突出した本体側フランジを設けるとともに、前記蓋体の下部の外周縁には、前記凸状部上に嵌合可能な凹状部および外側方に突出した蓋体側フランジを設け、前記本体および前記蓋体の周縁部には、前記本体側フランジから外側方、かつ水平方向に延設した、折曲部を有するフィンと、前記蓋体側フランジに湾状部を備える係止部と、からなる本体と蓋体を相互に取外し可能に係止させる一対のロック機構を２以上複数備えた食品用容器の本体に対する蓋体の固定および固定解除方法であって、前記凸状部上に前記凹状部および前記本体側フランジ上に前記蓋体側フランジをそれぞれ載置させ、前記蓋体に有する前記湾状部に、上方に折曲させた前記本体に有する前記フィンを着脱自在に嵌入するとともに、前記湾状部の両側方に設けた前記蓋体側フランジ上の掛止部に、前記フィンの両端部を掛止させることを特徴とする。
【発明の効果】
【００１６】
請求項１に記載の発明によれば、それぞれ合成樹脂を成形してなる、食品を載置する本体と、この本体の上面側に被せる、下面を開口した透明な蓋体と、を備え、本体の上面の外周縁には、上方に突出した凸状部および外側方に突出した本体側フランジを設けるとともに、蓋体の下部の外周縁には、凸状部上に嵌合可能な嵌合部および外側方に突出した蓋体側フランジを設け、凸状部上に嵌合部および本体側フランジ上に蓋体側フランジをそれぞれ載置させる食品用容器において、本体および蓋体の周縁部には、本体と蓋体を相互に取外し可能に係止させる一対のロック機構を、２以上複数備えるので、本体に対して蓋体を容易に嵌合固定可能または固定解除可能とし、従来のように、本体および蓋体に無理な力をかけてジョイントを介して両者を嵌合固定させた容器から、同様にして無理な力をかけて蓋体を取外す際に、容器の揺動に伴い本体上に有するケーキなどの食品が転倒などして損傷してしまうことを防ぐことができる。つまり、本体から蓋体を取外した際、本体上に有する食品を容器内から良好な状態で取り出すことができる。従って、使用性に優れた食品用容器を提供することができる。
【００１７】
請求項２に記載の発明によれば、ロック機構は、本体側フランジから外側方、かつ水平方向に延設したフィンと、蓋体側フランジに設けた係止部とからなるので、本体に蓋体を嵌合させるための本体および蓋体とは異なる部材を別途必要とせず、ロック機構を本体および蓋体と同じ材質にし、ロック機構を本体および蓋体と一括して成形することができる。従って、生産性に優れた食品用容器を提供することができる。
【００１８】
請求項３に記載の発明によれば、係止部は、蓋体側フランジのフィンを上方に折曲する位置に、蓋体の内側に向けて形成した湾状部を備えるとともに、湾状部の両側方の蓋体側フランジ上に、フィンの両端部を掛止する掛止部を設けるので、フィンを湾状部の曲線に沿って嵌入させ易いとともに、フィンの両端部を蓋体側フランジ上で確実に掛止させ、本体と蓋体との嵌合状態を保持することができる。従って、使用性に優れた食品用容器を提供することができる。
【００１９】
請求項４に記載の発明によれば、フィンは、折曲部にミシン目を備えるので、フィンを一旦折り曲げると、フィンがミシン目を介して折り上げ位置近傍で保持され易く、フィンを折り曲げ前の位置に向かって戻りにくくすることができ、一度の折り曲げでフィンの折り上げを保持させることができる。従って、使用性に優れた食品用容器を提供することができる。
【００２０】
請求項５に記載の発明によれば、フィンは、ミシン目を、凸状部の壁面から外方に向けて１ｍｍ〜４ｍｍの範囲内に設けるので、折り上げたフィンを蓋体の凹状部の壁面に沿わせることで、フィンを係止部に確実に係止させることができる。従って、使用性に優れた食品用容器を提供することができる。
【００２１】
請求項６に記載の発明によれば、フィンは、本体側フランジに近い折曲部の幅を、先端部の幅よりも狭くするので、フィンの折曲位置が分かり易いとともに、フィンを楽に折曲することができる。従って、使用性に優れた食品用容器を提供することができる。
【００２２】
請求項７に記載の発明によれば、掛止部の両側方には、蓋体側フランジ上面と、凹状部の壁面とを架橋した補強用のブリッジを設けるので、食品を収容した容器を持ち上げ時などにおいて、本体上に載置した食品の重量によってフィンに荷重がかかっても、ブリッジにより掛止部の強度が向上しているため、掛止部およびフィンの変形によるフィンの外れを防ぎ、フィンを掛止部に確実に掛止させることができる。従って、使用性に優れた食品用容器を提供することができる。
【００２３】
請求項８に記載の発明によれば、本体は、この本体上面の食品載置面に、上方に突出したリブを複数設けるので、食品を収容した容器の運搬時などに、リブにより本体上での食品の移動を防ぎ、食品の載置位置を保持することができる。従って、使用性に優れた食品用容器を提供することができる。
【００２４】
請求項９に記載の発明によれば、蓋体は、この蓋体の天面に、中央部を挟んで左右対称に把持部を設けるので、蓋体（容器）を天面より容易に掴んで持ち上げることができる。従って、使用性に優れた食品用容器を提供することができる。
【００２５】
請求項１０に記載の発明によれば、食品はケーキであるので、丁寧な扱いを必要とするケーキを収容した容器の蓋体を取り外すときにケーキを倒したり、容器の運搬時などにケーキが移動することなく、ケーキの損傷などを防ぎ、良好な状態で容器内のケーキを出し入れおよび運搬することができる。従って、使用性に優れた食品用容器を提供することができる。
【００２６】
請求項１１に記載の発明によれば、それぞれ合成樹脂を成形してなる、食品を載置する本体と、この本体の上面側に被せる、下面を開口した透明な蓋体と、を備え、本体の上面の外周縁には、上方に突出した凸状部および外側方に突出した本体側フランジを設けるとともに、蓋体の下部の外周縁には、凸状部上に嵌合可能な凹状部および外側方に突出した蓋体側フランジを設け、本体および蓋体の周縁部には、本体側フランジから外側方、かつ水平方向に延設した、折曲部を有するフィンと、蓋体側フランジに湾状部を備える係止部と、からなる本体と蓋体を相互に取外し可能に係止させる一対のロック機構を２以上複数備えた食品用容器の本体に対する蓋体の固定および固定解除方法であって、凸状部上に凹状部および、本体側フランジ上に蓋体側フランジをそれぞれ載置させ、蓋体に有する湾状部に、上方に折曲させた本体に有するフィンを着脱自在に嵌入するとともに、湾状部の両側方に設けた蓋体側フランジ上の掛止部に、フィンの両端部を掛止させるので、本体に対して蓋体を容易に嵌合固定可能または固定解除可能とし、従来のように、本体および蓋体に無理な力をかけてジョイントを介して両者を嵌合固定させた容器から、同様にして無理な力をかけて蓋体を取外す際に、容器の揺動に伴い本体上に有するケーキなどの食品が転倒などして損傷してしまうことを防ぐことができる。つまり、本体から蓋体を取外した際、本体上に有する食品を容器内から良好な状態で取り出すことができる。従って、使用性に優れた食品用容器の本体に対する蓋体の固定および固定解除方法を提供することができる。
【発明を実施するための最良の形態】
【００２７】
以下、図面を参照しつつ本発明を実施するための最良の形態について説明する。
図１は本発明の一実施例を示す、食品用容器の全体斜視図、図２は本体の平面図、図３は本体の側面図、図４は蓋体の平面図、図５は蓋体の側面図、図６は折曲前のフィンを模式的に拡大して示したロック機構の斜視図、図７は折曲させたフィンを模式的に拡大して示したロック機構の斜視図である。
【００２８】
本発明の食品用容器１は、図１に示すように、ケーキなどの食品を載置するための本体２と、この本体２の上面側に着脱自在に被せられた蓋体３とから構成される。これら本体２および蓋体３は、合成樹脂からなり、例えば真空基台に成形金型を取付けてなる成形装置を用いたバキューム成形により成形される。なお、合成樹脂の材質や、バキューム成形の装置構成および成形方法などは、周知の技術であるため、詳細な説明は省略する。
【００２９】
また、本発明の食品用容器１には、サンドイッチやおにぎりなど、あらゆる食品を収容することができるが、特に丁寧な扱いを必要とするショートケーキやデコレーションケーキなどのケーキを、以下に記す発明により良好な状態で収容させることができる。
【００３０】
まず、本体２は、図１〜３に示すように、例えば、適宜着色された（透明でもよい）平面視長方形状であって、中央に備えられた載置部４の外周縁近傍に沿って上方に突出した凸状部５が一連に形成される。この凸状部５の上端の高さは、載置部４の上面６の高さよりも高い構成とされる。また、載置部４の上面６には、ケーキを上面６に載置させた際に、上面６とケーキ底との接触面積を小さくして、ケーキ底が上面６に付着しないようにするための凹部７（凸部でもよい）を任意の深さや形状、方向、長さで設けることができる。なお、凸状部５は、下部を外側方に向けて勾配を設けた、側面視台形状としてもよい。
【００３１】
また、載置部４の上面６には、上方に突出したリブ８を適宜位置および間隔で複数設けられる。
【００３２】
一方、載置部４の底部は、外周縁に沿って下方に突出させた突出部９が一連に形成され、この突出部９の下端は、載置部４の下面１０の高さより下方に位置するとともに、凸状部５の外側下端は、突出部９の下端よりも上方に位置する構成とされる。
【００３３】
さらに、凸状部５の外側下端には、本体側フランジ１１が、凸状部５の外側下端の外周縁に沿って一連に、外側方、かつ水平方向へ向けて連設される。そして、この本体側フランジ１１の高さは、突出部９の下端より上方に位置する。さらに、例えば、長方形各辺の中央近傍の本体側フランジ１１には、外側方、かつ水平方向へ向けてロック機構Ｌとしてのフィン１２が連設される。従って、フィン１２の高さ位置も、突出部９の下端より上方に位置する構成とされる。
【００３４】
このフィン１２は、本体側フランジ１１に近い部分の幅Ｌ１を、先端部の幅Ｌ２よりも狭くした、平面視略銀杏形状であり、凸状部５の壁面から外方に向けて１ｍｍ〜４ｍｍの範囲内に有するこの幅Ｌ１の部分には、ミシン目１３を設け、このミシン目１３が折曲部１４となる。そして、折曲部１４から折り上げたときのフィン１２の高さは、後述する蓋体３における凹状部１４の側壁高さに略等しい程度の高さとされる。
【００３５】
なお、フィン１２の配置は上述に限定されず、本体側フランジ１１の少なくとも２箇所以上の複数箇所に設置すればよく、上述のような長方形の本体２に本体側フランジ１１を有する場合や、本体２の形状が円形や楕円形、三角形、五角形などにおいては、少なくとも対向する辺や位置の本体側フランジ１１にフィン１２をそれぞれ設けることができる。しかし、容器１の大きさ（本体１に載置するケーキの数および重量）を考慮して、大きな容器１の場合には、ケーキの重量に十分耐え得る、上述した長方形の本体２の場合のようなフィン１２を各辺に設けるなど、３箇所もしくは４箇所以上複数の適切な箇所にフィン１２を適宜設けることが好ましい。
【００３６】
次に、蓋体３は、例えば、図４〜５に示すように、下面を開口した透明のドーム状で、例えば平面視長方形状であり、下部の周縁部内面には、本体２の凸状部５に外嵌可能とする凹状部５´が形成される。なお、凹状部５´および蓋体３の側壁面は、凸状部５の勾配と同じ勾配を設けることで、蓋体３の全体を側面視台形状にしてもよい。
【００３７】
また、凹状部５´の外側下端には、蓋体側フランジ１５が、凹状部５´の外側下端の外周縁に沿って一連に、外側方、かつ水平方向へ向けて連設される。そして、蓋体３を本体２に嵌合させたとき、フィン１２を上方に折曲した位置に対応する（この例では、長方形各辺の中央近傍）蓋体側フランジ１５には、ロック機構Ｌとしての係止部１６が形成される。
【００３８】
この係止部１６は、蓋体３の内側に向けて形成された湾状部１７からなり、湾状部１７の全体幅は、フィン１２の先端部の幅Ｌ２よりも狭くするとともに、湾状部１７における最深部の幅Ｌ３を、フィン１２の折曲部１４の幅Ｌ１よりも若干広い程度の幅にする。また、湾状部１７の両側方の蓋体側フランジ１５上には、フィン１２の両端部を掛止する掛止部１８として、フラットなスペースが設けられる。
【００３９】
さらに、掛止部１８の両側方であって、蓋体側フランジ１５上面と、凹状部５´の壁面との間には、両者を架橋した補強用のブリッジ１９が形成される。また、蓋体３の天面には、中央部を挟んで左右対称に凹状の把持部２０が掘り込み形成される。なお、符号２１は、蓋体３に適宜形成された補強部である。
【００４０】
そして、把持部２０は、容器１の幅方向（図中の長手方向に限定されない）に長く掘り込み形成することにより、この把持部２０の両端部近傍のスペースｓに、保冷剤などを載置でき、容器１内に収納した食品の保存状態を良好にすることができる。従って、本願発明の容器１は、蓋体３の上面に、把持部２０と、保冷剤載置用のスペースｓとを一体に掘り込み成形したもので、生産性および使用性に優れたものである。
【００４１】
ここで、以上のようなフィン１２および掛止部１８からなる一対のロック機構Ｌを２箇所以上複数備える容器１にケーキを収容させる場合には、まず、１個または２個以上複数のケーキを本体２における載置部４の上面６に有するリブ８間に載置する。このため、容器１が運搬時などにおいて横揺れした場合でも、ケーキはリブ８により略固定されているため、ケーキの水平方向への移動を防ぎ、ケーキの載置位置を保持することができる。従って、ケーキの転倒などによるケーキの損傷を防ぐことができる。
【００４２】
次いで、本体２の凸状部５上に蓋体３の凹状部５´および、本体側フランジ１１上に蓋体側フランジ１５をそれぞれ載置させて、本体２に蓋体３を嵌合させる。
【００４３】
次いで、図６〜７に示すように、フィン１２を、折曲部１４のミシン目１３に沿って上方に折り上げる。このとき、フィン１２と、突出部９の下端との間には、隙間を有するため、フィン１２の先端部を容易に指で挟むことができ、フラットな机上での作業において、効率的にフィン１２を折り上げることができる。
【００４４】
また、フィン１２は、本体側フランジ１１に近い折曲部１４の幅Ｌ１を、先端部の幅Ｌ２よりも狭くするので、フィン１２の折曲位置が分かり易いとともに、フィン１２を楽に折曲することができる。
【００４５】
さらに、フィン１２の折曲部１４がミシン目１３であるため、フィン１２を一旦折り曲げると、フィン１２がミシン目１３を介して折り上げ位置近傍で保持され易く、フィン１２を折り上げる前の位置に向かって戻りにくくすることができ、一度の折り曲げでフィン１２の折り上げを保持させることができる。
【００４６】
そして、フィン１２のミシン目１３は、凸状部５の壁面から外方に向けて１ｍｍ〜４ｍｍの範囲内に設けているため、折り上げたフィン１２を蓋体３の凹状部５´の壁面に沿わせることにより、フィン１２を係止部１６に確実に係止させることができる。
【００４７】
次に、折り上げたフィン１２の両端部を、係止部１６の湾状部１７の両端に沿わせて、この湾状部１７の内側に軽い力で押し込むことにより、フィン１２の両端部が湾状部１７の両側方に位置する掛止部１８で掛止される。その結果、各フィン１２が掛止部１８で掛止し、確実に固定されるため、作業者は無理な力を必要とせず、フィン１２を折り上げるだけで本体２に蓋体３を楽に固定できるとともに、フィン１２と係止部１６との強力な固定により、蓋体３が本体２から容易に外れることがなく、ケーキを安心して容器１内に収容させることができる。
【００４８】
また、蓋体３の上面に有する把持部２０を指で挟持し、蓋体３を持ち上げることにより、容器１を容易に持ち上げて運搬することができる。このとき、載置部４上のケーキの重量により、掛止部１８上においてフィン１２に下方向の荷重がかかるが、ブリッジ１９により掛止部１８（蓋体側フランジ１５）の強度が向上しているためにフィン１２が変形せず、掛止部１８およびフィン１２の変形によるフィン１２の外れを防ぎ、フィン１２を掛止部１８に確実に掛止させることができる。
【００４９】
また、上述とは反対に、本体２に蓋体３がロック機構Ｌにより嵌合固定された容器１から、収容したケーキを取り出す場合には、まず、湾状部１７の内側において掛止部１８上に掛止されているフィン１２の先端部近傍を、蓋体側フランジ１５の外側方、かつ水平方向に向けて指で軽く押し倒す。
【００５０】
これにより、フィン１２の両端部が、湾状部１７の内側に沿って移動して、フィン１２が湾状部１７から脱着し、フィン１２を湾状部１７の下面に位置させる。その結果、蓋体３が本体２の固定から楽に解除され、蓋体３を本体２から容易に取外すことができる。従って、従来のように、本体および蓋体に無理な力をかけてジョイントを介して両者を嵌合させた容器から、同様にして無理な力をかけて蓋体を取外す際に、容器を揺動させてケーキが躍ったり転倒して、ケーキを損傷させることがない。つまり、蓋体３を開ける際、ロック機構Ｌによる蓋体３と、本体２との楽な固定解除で容器１が揺動せず、本体２上のケーキを良好な状態で取り出すことができる。
【００５１】
また、以上のようなフィン１２の折り曲げを何度も行い、掛止部１８にフィン１２を何度も着脱できるため、容器１にケーキを何度も出し入れでき、容器１を有効に利用することができる。なお、蓋体３の天面は、本体２の底部の突出部９に囲まれた載置部４下面内に嵌合可能とされるため、容器１の上に他の容器を安定して積み重ねることができる。
【００５２】
以上詳述したロック機構Ｌは、本体２および蓋体３と同じ材質であり、容器１の生産時に、本体２とロック機構Ｌ（フィン１２）を一括して成形できるほか、蓋体３とロック機構Ｌ（係止部１６）も一括して成形することができるため、本体２に蓋体３を嵌合させるための本体２および蓋体３とは異なる部材を本体２や蓋体３の成形とは別工程で取付けるなどする必要がなく、効率的に容器１を成形することができる。同様に把持部２０なども上記同様に蓋体３の成形時に一括して設けることができる。
【００５３】
なお、上述したように、容器の形状を円形にすることもできる。図８は円形の食品用容器の一例を示した本体の平面図（ａ）および側面図（ｂ）、図９は円形の食品用容器の一例を示した蓋体の平面図（ａ）および側面図（ｂ）である。そして、上述の容器１と対応する箇所に符号を付したものであり、それぞれの構成および効果の説明は省略するが、本体２´に備えられるロック機構Ｌ´のフィン１２´と、蓋体３´に備えられるロック機構Ｌ´の係止部１６´とにより、上述同様の効果を得ることができる。
【図面の簡単な説明】
【００５４】
【図１】本発明の一実施例を示す、食品用容器の全体斜視図である。
【図２】本体の平面図である。
【図３】本体の側面図である。
【図４】蓋体の平面図である。
【図５】蓋体の側面図である。
【図６】折曲前のフィンを模式的に拡大して示したロック機構の斜視図である。
【図７】折曲させたフィンを模式的に拡大して示したロック機構の斜視図である。
【図８】円形の食品用容器の一例を示した本体の平面図（ａ）および側面図（ｂ）である。
【図９】円形の食品用容器の一例を示した蓋体の平面図（ａ）および側面図（ｂ）である。
【符号の説明】
【００５５】
１    食品用容器
２    本体
３    蓋体
１２    フィン
１３    ミシン目
１４    折曲部
１６    係止部
１７    湾状部
１８    掛止部
１９    ブリッジ
Ｌ    ロック機構
Ｌ１，Ｌ２，Ｌ３    幅
【図１】
2009298454.tif 000003
【図２】
2009298454.tif 000004
【図３】
2009298454.tif 000005
【図４】
2009298454.tif 000006
【図５】
2009298454.tif 000007
【図６】
2009298454.tif 000008
【図７】
2009298454.tif 000009
【図８】
2009298454.tif 000010
【図９】
2009298454.tif 000011